(57)【特許請求の範囲】
【請求項１】
略矩形状の天面部と、その周縁から下方に傾斜した側壁部とを備えた容器蓋において、天面部の周縁全周に上向きに突出するように折り返して形成した突起部を形成し、側壁部の四隅に、支持リブを設け、該支持リブの表面と前記突起部の外側面とが略同一面となるように形成した容器蓋。
【請求項２】
側壁部の側壁面内に、支持リブを設け、該支持リブの表面と前記突起部の外側面とが略同一面となるように形成した請求項１に記載の容器蓋。
【請求項３】
天面部に、前記突起部に並行し、上向きに突出するように折り返して形成した第二突起部を設けた請求項１又は２に記載の容器蓋。
【請求項４】
天面部に、前記突起部から蓋内側に向かう補強リブを設けた請求項１〜３のいずれかに記載の容器蓋。
【請求項５】
前記補強リブを、前記突起部と前記第二突起部の間に架け渡すように設けた請求項４に記載の容器蓋。
【請求項６】
前記支持リブを、上方から下方に向かい漸次深くなるように凹ませて形成した請求項１〜５のいずれかに記載の容器蓋。
【請求項７】
前記補強リブを、断面半円状に隆起させて形成した請求項４〜６のいずれかに記載の容器蓋。
【発明の詳細な説明】
【技術分野】
【０００１】
本発明は、食品などを包装する包装用容器の容器蓋に関する。
【背景技術】
【０００２】
従来、野菜、鮮魚、食肉、果物等の食品などを包装するために、熱可塑性シートを熱成形した様々な包装用容器が開発されている。
【０００３】
これらを運搬する際、積み重ねて運搬することが多く、このとき、容器が押しつぶされ、変形してしまうことがあり、特に側壁部を形成してある容器蓋は、変形しやすいものであった。
【０００４】
そこで、容器蓋の耐圧縮性を高めるため、側壁部の面内にリブを設けた容器蓋が開発されている（下記特許文献１参照）。
【０００５】
【特許文献１】実用新案登録第３１３１４４９号公報
【発明の開示】
【発明が解決しようとする課題】
【０００６】
上記特許文献１に記載の容器蓋は、従来品よりも耐圧縮性に優れ、実用的には十分な耐圧縮性を有しているが、市場ではより耐圧縮性に優れ、軽量なものが求められている。軽量にするためシート厚を薄くした際、上記構造の容器蓋では、長手側面が強度的に弱く、この容器蓋を用いた包装用容器を多数積み重ねると押し潰れてしまうことがあった。
【０００７】
そこで、本発明の目的は、従来よりも耐圧縮性に優れ、シート厚を薄くすることができる容器蓋を提供することにある。
【課題を解決するための手段】
【０００８】
本発明の容器蓋は、略矩形状の天面部と、その周縁から下方に傾斜した側壁部とを備えた容器蓋において、天面部の周縁全周に上向きに突出するように折り返して形成した突起部を形成し、側壁部の四隅に、支持リブを設け、該支持リブの表面と前記突起部の外側面とが略同一面となるように形成したことを特徴とする。
【０００９】
天面部に突起部を設け、側壁部の四隅に支持リブを設け、支持リブの表面と突起部の外側面とが略同一面となるように一体的に形成したことにより、支持リブが突起部を支える構造となるため、従来よりも耐圧縮性が優れた構造となり、シート厚を薄くしても、押し潰され難いものとなる。
【００１０】
上記容器蓋は、側壁部の側壁面内に、支持リブを設け、該支持リブの表面と前記突起部の外側面とが略同一面となるようにすることが好ましい。
【００１１】
側壁部の側壁面内にも、支持リブを設けることにより、突起部への荷重が多数の支持リブに分散されることになり、さらに耐圧縮性の優れた構造となる。
【００１２】
また、上記容器蓋は、天面部に、前記突起部に並行し、上向きに突出するように折り返して形成した第二突起部を設けることが好ましい。
【００１３】
天面部に、第二突起部を設けることにより、天面部の強度が高まり、耐圧縮性がより高まる他、横からの荷重にも強くなる。
【００１４】
さらに、上記容器蓋は、天面部に、前記突起部から蓋内側に向かう補強リブを設けるのが好ましく、補強リブは、前記突起部と前記第二突起部の間に架け渡すように設けるのが好ましい。
【００１５】
天面部に、補強リブを設けることにより、さらに耐圧縮性が高まり、横からの荷重にも強くなる。
【００１６】
具体的には、前記支持リブは、上方から下方に向かい漸次深くなるように凹ませて形成することができ、また、前記補強リブは、断面半円状に隆起させて形成することができる。
【発明を実施するための最良の形態】
【００１７】
以下、本発明を、一実施形態に基づいて説明する。
【００１８】
図１は本発明の一実施形態の容器蓋の斜視図、図２は図１の容器蓋の部分拡大断面図である。
【００１９】
本発明の一実施形態の容器蓋１は、容器本体（図示せず）に上方から嵌め合わせできるようにしたものであり、図１に示すように、略矩形状の天面部２と、その周縁から下方に形成した側壁部３とを主な構成として備えたものであり、例えば、ポリスチレン系樹脂シート、ポリエチレン系樹脂シート、ポリプロピレン系樹脂シート、ポリエチレンテレフタレート系樹脂シートなどの熱可塑性樹脂シートを、真空成形、圧空成形、真空圧空成形、熱板成形などの熱成形をして製造することができる。
【００２０】
天面部２は、略矩形板状としてあり、その周縁に全周に渡り突起部４を形成してあり、また、その内側に突起部４と並行するように第二突起部５を形成してある。
【００２１】
突起部４と第二突起部５とは、図２に示すように、上向きに突出するようにシートを折り返して形成してあり、略同じ高さとしてある。この両突起部４，５は、例えば、特開２００６−３３４９７２号公報に記載の成形方法で形成することができる。
【００２２】
本実施形態では、両突起部４，５を設ける構成としてあるが、本発明は、これに限定するものではなく、突起部４のみを設けた構成とすることもできる。
【００２３】
側壁部３は、天面部２の周縁から下方に傾斜するように形成してあり、四隅に支持リブ６を設けてあり、また、側壁面３ａの中間付近にも支持リブ７を設けてある。側壁部３の下側には、容器本体に嵌め合わせることができるフランジ部８が形成してある。
【００２４】
支持リブ６，７は、側壁面３ａを、上下方向に断面略コ字状に凹ませて形成してあり、上方から下方に向かい漸次深くなり、内側面６ａ，７ａが略三角形状となるように形成してある。また、支持リブ６，７の表面６ｂ，７ｂと、突起部４の外側面４ａとは、略同一面、つまり略平面となるように連続して形成してある。
【００２５】
支持リブ６は、平面視において、側壁面３ａに対して斜めに形成してあり、側壁面３ａに対して略４５度となるように形成してある。
【００２６】
本実施形態では、側壁面３ａ内にも支持リブ７を設ける構成としてあるが、本発明は、これに限定するものではなく、側壁面３ａ内に支持リブ７を設けない構成とすることもできる。
【００２７】
本実施形態では、支持リブ６，７を断面略コ字状に凹ませてあるが、湾曲状や多角形状に凹ませることもでき、また、断面略コ字状、湾曲状や多角形状に隆起させることもできる。
【００２８】
上記容器蓋１は、少なくとも突起部４及び支持リブ６を一体的に形成してあるため、これらが骨格となり耐圧縮性に優れたものとなる。よって、この容器蓋１を用いて形成された包装用容器は、多数積み重ねても押し潰れにくいものとなる。また、強度的に優れた構造となるので、シート厚を薄くすることもできる。
【００２９】
他の実施形態としては、図３に示すように、適宜箇所に補強リブを設けることができ、例えば、突起部４と第二突起部５との間に架け渡すように補強リブ９を複数設けることや、側壁部３の面内や支持リブ６，７の表面内６ａ，７ａに補強リブ１０を上下方向に設けることができ、これにより、さらに容器蓋１の強度を高めることもできる。また、第二突起部５を設けない構成とした場合は、突起部４から蓋内側に向かう補強リブを複数設けることもできる。
【００３０】
図３では、補強リブ９，１０を、断面半円状に隆起させた形状としてあるが、これに限定するものではなく、断面三角形状などに隆起させることもでき、また、補強リブ９，１０を、断面半円状や断面三角形状などに凹ませて形成することもできる。
【００３１】
上記実施形態の構成態様は、本発明を限定するものとして挙げたものではなく、技術目的を共通にするかぎり変更は可能であり、本発明はそのような変更を含むものである。
【図面の簡単な説明】
【００３２】
【図１】本発明の一実施形態の容器蓋の斜視図である。
【図２】図１の容器蓋の部分拡大断面図である。
【図３】本発明の他の実施形態の容器蓋の斜視図である。
【符号の説明】
【００３３】
１容器蓋  ２天面部  ３側壁部  ３ａ側壁面  ４突起部  ４ａ外側面  ５第二突起部  ６支持リブ  ６ａ内側面  ６ｂ表面  ７支持リブ  ７ａ内側面  ７ｂ表面  ８フランジ部  ９補強リブ  １０補強リブ
【図１】
0005006146.tif 000002
【図２】
0005006146.tif 000003
【図３】
0005006146.tif 000004